(57)【要約】【課題】面倒な操作を必要とせずに、ユーザの持ち物から行動を正しく判断して、必要な情報を適宜表示する。【解決手段】リスト端末１１は、各物品１６ａ〜１６ｄに付けられたＩＣタグ１７ａ〜１７ｄの情報を読み取る機能と、ＩＣタグ１７ａ〜１７ｄの情報に基づいてユーザの行動を判断する機能と、各種情報を取得する機能と、各種情報をユーザの行動に応じて選択的に表示する機能とを備える。【選択図】図１
2014120103.tif 000002
【特許請求の範囲】
【請求項１】
複数の異なる物品のそれぞれに付けられたＩＣタグの情報を読み取るＩＣタグ読取り手段と、
上記ＩＣタグ読取り手段によって読み取られたＩＣタグの情報に基づいてユーザの行動を判断する行動判断手段と、
各種情報を取得する情報取得手段と、
上記情報取得手段によって得られた各種情報を上記行動判断手段によって判断されたユーザの行動に応じて選択的に表示する表示制御手段と
を具備したことを特徴とする情報表示装置。
【請求項２】
ユーザの行動毎に情報の優先順位を設定する優先順位設定手段を備え、
上記表示制御手段は、
上記優先順位設定手段によって設定された優先順位に従って上記各種情報を選択的に表示することを特徴とする請求項１記載の情報表示装置。
【請求項３】
上記ＩＣタグ読み取り手段によって読み取られたＩＣタグの情報に基づいて上記各物品の情報を記憶する物品情報記憶手段と、
上記ＩＣタグ読み取り手段を定期的に動作させ、上記物品情報記憶手段に記憶された上記各物品の中で上記ＩＣタグの情報を読み取れない物品を紛失物品として判断し、その旨を報知する報知手段と
をさらに具備したことを特徴とする請求項１記載の情報表示装置。
【請求項４】
上記ＩＣタグの情報を読み取れなかったときの位置を紛失位置として記録する紛失位置記録手段を備え、
上記表示制御手段は、
上記紛失位置記録手段によって記録された紛失位置を地図上に表示することを特徴とする請求項３記載の情報表示装置。
【請求項５】
ユーザの手首に装着可能な腕時計の形状を有する装置本体を備え、
上記情報取得手段は、
上記装置本体の近くに存在する別の端末装置から近距離無線通信により各種情報を取得することを特徴とする請求項１記載の情報表示装置。
【請求項６】
複数の異なる物品のそれぞれに付けられたＩＣタグの情報を読み取り、
上記読み取られたＩＣタグの情報に基づいてユーザの行動を判断し、
各種情報を取得し、
上記取得した各種情報を上記判断されたユーザの行動に応じて選択的に表示する、
ことを特徴とする情報表示方法。
【請求項７】
コンピュータによって実行されるプログラムであって、
上記コンピュータに、
複数の異なる物品のそれぞれに付けられたＩＣタグの情報を読み取るＩＣタグ読取り機能と、
上記ＩＣタグ読取り機能によって読み取られたＩＣタグの情報に基づいてユーザの行動を判断する行動判断機能と、
各種情報を取得する情報取得機能と、
上記情報取得機能によって得られた各種情報を上記行動判断機能によって判断されたユーザの行動に応じて選択的に表示する表示制御機能と
を実現させることを特徴とするプログラム。
【発明の詳細な説明】
【技術分野】
【０００１】
本発明は、ユーザの持ち物を管理するための機能を備えた情報表示装置、情報表示方法と、この情報表示装置に用いられるプログラムに関する。
【背景技術】
【０００２】
近年、スマートフォン（多機能型携帯電話装置）などの携帯端末の急激な普及に伴い、ネット上で様々な情報を配信するサービスが溢れている。このため、ユーザが必要な情報だけを選別して表示するのに非常に手間がかかっている。
【０００３】
従来、このような問題に対し、サーバ側でユーザの状態履歴を把握し、各種情報の中からユーザの状態に合わせた情報を選択的に配信するシステムが考えられている（例えば、特許文献１参照）。
【０００４】
一方、日々の活動において、ユーザは持ち物を変えて行動している。例えば、平日は仕事用のかばんなどを持って出勤し、休日は釣り竿などの道具を持って出かけるなどである。したがって、ユーザの持ち物に応じて行動を把握し、そのときの行動に応じた情報が得られると便利である。
【０００５】
ここで、ユーザの持ち物にＩＣタグを付けて管理するシステムがある（例えば、特許文献２，３参照）。これは、ユーザの持ち物にＩＣタグを付けておき、携帯電話機でＩＣタグの電波を検知することで、忘れ物を通知するものである。
【先行技術文献】
【特許文献】
【０００６】
【特許文献１】特開２００２−３７３１７６号公報
【特許文献２】特開２００４−１３７８９号公報
【特許文献３】特開２００５−２８０８５１号公報
【発明の概要】
【発明が解決しようとする課題】
【０００７】
通常、スマートフォンなどの携帯端末でネット上の各種情報を表示するためには、その都度、画面上でアイコンをタッチしてアプリ（アプリケーションソフトの略）を起動する必要があり、そのための操作が非常に煩わしいといった問題がある。また、ユーザの持ち物は日々の行動で変わるため、持ち物にＩＣタグを付けただけでは、その日の行動を判断することはできない。
【０００８】
本発明は上記のような点に鑑みなされたもので、面倒な操作を必要とせずに、ユーザの持ち物から行動を正しく判断して、必要な情報を適宜表示することのできる情報表示装置、情報表示方法及びプログラムを提供することを目的とする。
【課題を解決するための手段】
【０００９】
本発明に係る情報表示装置は、複数の異なる物品のそれぞれに付けられたＩＣタグの情報を読み取るＩＣタグ読取り手段と、上記ＩＣタグ読取り手段によって読み取られたＩＣタグの情報に基づいてユーザの行動を判断する行動判断手段と、各種情報を取得する情報取得手段と、上記情報取得手段によって得られた各種情報を上記行動判断手段によって判断されたユーザの行動に応じて選択的に表示する表示制御手段とを具備したことを特徴とする。
【発明の効果】
【００１０】
本発明によれば、面倒な操作を必要とせずに、ユーザの持ち物から行動を正しく判断して、必要な情報を適宜表示することができる。
【図面の簡単な説明】
【００１１】
【図１】図１は本発明の一実施形態に係るネットワークシステムの構成を示す図である。
【図２】図２は同実施形態におけるリスト端末の装着状態を示す図である。
【図３】図３は同実施形態におけるリスト端末と携帯端末との関係を示す図である。
【図４】図４は同実施形態におけるリスト端末の表示切替え方法を説明するための図である。
【図５】図５は同実施形態におけるリスト端末の回路構成を示すブロック図である。
【図６】図６は同実施形態における携帯端末の回路構成を示すブロック図である。
【図７】図７は同実施形態におけるリスト端末サーバの動作を示すフローチャートである。
【図８】図８は同実施形態におけるリスト端末サーバに備えられたリスト端末用メモリの構成を示す図である。
【図９】図９は同実施形態における携帯端末のリスト配信アプリに関する動作を示すフローチャートである。
【図１０】図１０は同実施形態における携帯端末の優先順位設定画面の構成を示す図である。
【図１１】図１１は同実施形態におけるリスト端末に備えられた物品管理テーブルの構成を示す図である。
【図１２】図１２は同実施形態におけるリスト端末に備えられた優先順位設定テーブルの構成を示す図である。
【図１３】図１３は同実施形態におけるリスト端末の情報取得処理の動作を示すフローチャートである。
【図１４】図１４は同実施形態におけるリスト端末の情報表示処理の動作を示すフローチャートである。
【図１５】図１５は同実施形態におけるリスト端末の物品管理の動作（ＩＣタグ処理）を示すフローチャートである。
【図１６】図１６は同実施形態における携帯端末の物品管理の動作（紛失物確認処理）を示すフローチャートである。
【図１７】図１７は同実施形態における携帯端末に表示される紛失物確認用の地図の一例を示す図である。
【発明を実施するための形態】
【００１２】
以下、図面を参照して本発明の実施形態について説明する。
【００１３】
図１は本発明の一実施形態に係るネットワークシステムの構成を示す図である。
【００１４】
このネットワークシステムは、リスト端末１１と、携帯端末１２と、インターネット等のネットワーク１３上に存在する各種コンテンツサーバ１４ａ，１４ｂ…、およびリスト端末サーバ１５とからなる。
【００１５】
リスト端末１１は、本発明の情報表示装置に相当するものである。本実施形態において、このリスト端末１１は、ユーザの手首に装着可能な腕時計の形状を有する。これに対し、携帯端末１２は、例えばスマートフォンなどであり、ユーザがかばん等に入れて持ち歩くことが可能な携帯用の通信端末装置である。リスト端末１１の近くに携帯端末１２があるとき、リスト端末１１と携帯端末１２はＢｌｕｅｔｏｏｔｈ（登録商標）等の近距離無線通信により接続される。
【００１６】
さらに、リスト端末１１は、複数の異なる物品１６ａ〜１６ｄのそれぞれに付けられたＩＣタグ１７ａ〜１７ｄと通信可能な機能を備えている。図１の例では、物品１６ａは通勤かばん、物品１６ｂはサングラス、物品１６ｃは帽子、物品１６ｄは釣り竿である。これらの物品１６ａ〜１６ｄは、ユーザの持ち物として存在する。
【００１７】
ＩＣタグ１７ａには、物品１６ａを特定するためのＩＤ情報（識別情報）が記録されている。他のＩＣタグ１７ｂ〜１７ｄについても同様であり、それぞれに対応した物品のＩＤ情報が記録されている。
【００１８】
また、携帯端末１２は、無線ＬＡＮ（Wi-Fi）や３Ｇの携帯電話回線網等を通じてネットワーク１３上の各種コンテンツサーバ１４ａ，１４ｂ…やリスト端末サーバ１５に接続可能な機能を有する。
【００１９】
各種コンテンツサーバ１４ａ，１４ｂ…は、例えば各地域の天気情報の配信や、音楽、映画の配信など、ネットワーク１３上で様々なサービスを行う。リスト端末サーバ１５は、リスト端末１１で扱う情報を管理するための専用サーバであり、各種コンテンツサーバ１４ａ，１４ｂ…から配信される情報をリスト端末１１の画面サイズに合わせて加工するなどの処理を行う。
【００２０】
ここで、本発明の情報表示装置として用いられるリスト端末１１の使い方について説明する。
【００２１】
図２はリスト端末１１の装着状態を示す図、図３はリスト端末１１と携帯端末１２との関係を示す図である。
【００２２】
図２に示すように、リスト端末１１は、装置本体１１ａと、この装置本体１１ａの両端に取り付けられたバンド１１ｂとからなる。後述するように、リスト端末１１の装置本体１１ａには、加速度センサや角速度センサなどの動き検知センサが内蔵されている。ユーザの手首にリスト端末１１を装着した状態で腕を顔の前に待っていき、手首を回す動作（これをフリップ動作と呼ぶ）を行うと表示が切り替えられる。
【００２３】
図３に示すように、リスト端末１１と携帯端末１２とは、Ｂｌｕｅｔｏｏｔｈ（登録商標）等の近距離無線通信により接続されている。携帯端末１２は、各種コンテンツサーバ１４ａ，１４ｂ…の情報を受信すると、これらの情報をリスト端末１１に送信する。この場合、リスト端末１１の画面は携帯端末１２に比べて小さいため、図１に示したリスト端末サーバ１５が各種コンテンツサーバ１４ａ，１４ｂ…の情報をリスト端末用に加工処理している。この加工処理された情報を携帯端末１２経由でリスト端末１１に送って表示する。
【００２４】
どの情報をどのように表示するのかは、携帯端末１２側で設定する。携帯端末１２側で設定を行うのは、リスト端末１１の画面が小さいためである。携帯端末１２には、リスト端末１１との間で設定内容を同期するためのアプリが搭載されている。
【００２５】
図４はリスト端末１１の表示切替え方法を説明するための図である。
【００２６】
リスト端末１１では、ユーザが手首を回す動作（フリップ動作）を行うことで、表示の切替えを行うことができる。この例では、初期画面である時計画面の状態から１回目のフリップ動作で現在地域の雨雲の動き、２回目のフリップ動作で指定地域の天気情報、３回目のフリップ動作でスケジュール、４回目のフリップ動作でツイートの情報に順次切り替えられる様子が示されている。どの情報を何番目に表示するのかも含めて携帯端末１２側で設定することができる。
【００２７】
以下に、各装置の構成と動作について詳しく説明する。  
図５はリスト端末１１の回路構成を示すブロック図である。
【００２８】
リスト端末１１は、ＣＰＵ２１、表示部２２、タッチパネル２３、第１の通信部２４ａ、第２の通信部２４ｂ、メモリ２５、センサ部２６、時計部２７、ＧＰＳ部２８などを備える。
【００２９】
ＣＰＵ２１は、メモリ２５に記憶されたプログラム２５ａの起動により、リスト端末１１の動作を制御する。本実施形態において、このＣＰＵ２１には、行動判断機能２１ａ、情報取得機能２１ｂ、表示制御機能２１ｃが備えられている。
【００３０】
行動判断機能２１ａは、第２の通信部２４ｂによって読み取られた各物品のＩＣタグの情報に基づいてユーザの行動を判断する。情報取得機能２１ｂは、第１の通信部２４ａを通じてネット上の各種情報を取得する。表示制御機能２１ｃは、情報取得機能２１ｂによって得られた各種情報を行動判断機能２１ａによって判断されたユーザの行動に応じて選択的に表示する。
【００３１】
さらに、ＣＰＵ２１には、物品情報記憶機能２１ｄ、報知機能２１ｅ、紛失位置記録機能２１ｆが備えられている。
【００３２】
物品情報記憶機能２１ｄは、第２の通信部２４ｂによって読み取られたＩＣタグの情報に基づいて各物品の情報をメモリ２５の所定のエリアに記憶させる。報知機能２１ｅは、第２の通信部２４ｂを定期的に動作させ、物品情報記憶機能２１ｄによって記憶された各物品の中でＩＣタグの情報を読み取れない物品を紛失物品として判断し、その旨をアラーム等により報知する。
【００３３】
紛失位置記録機能２１ｆは、ＧＰＳ部２８を通じて物品の紛失位置を取得し、メモリ２５の所定のエリアに記録する。この紛失位置記録機能２１ｆによって物品の紛失位置が記録された場合には、表示制御機能２１ｃはその紛失位置を地図上に表示する。
【００３４】
表示部２２は、ＬＣＤ（Liquid Crystal Display）からなり、各種情報をカラー表示する。タッチパネル２３は、表示部２２の表示画面上に載置され、タッチ操作による入力指示を行うために用いられる。この表示部２２とタッチパネル２３とで一体型の入力表示装置を構成し、ユーザが画面の表示を見ながら、タッチ操作による入力指示を行うことができる。
【００３５】
第１の通信部２４ａは、Ｂｌｕｅｔｏｏｔｈ（登録商標）等の近距離通信により、外部端末（ここでは携帯端末１２）との間でデータの送受信処理を行う。第２の通信部２４ｂは、ＩＣリーダーとして用いられる。この第２の通信部２４ｂは、ＲＦＩＤ（radio frequency identification）の無線通信により、物品１６ａ〜１６ｄに付けられたＩＣタグ１７ａ〜１７ｄからＩＤ情報を読み取る。
【００３６】
メモリ２５には、ＣＰＵ２１を制御するためのプログラム２５ａの他、ＣＰＵ２１の処理動作に必要な各種データが記憶される。プログラム２５ａは、上述した各機能２１ａ，２１ｂ，２１ｃ，２１ｄを実現するためのプログラムを含む。
【００３７】
センサ部２６は、ｘ軸，ｙ軸，ｚ軸方向の加速度を検知可能な３軸の加速度センサなどからなる動き検出センサを備えている。時計部２７は、リスト端末１１の時計機能を実現するための部分であり、現在の時刻を計時する。また、ＧＰＳ部２８は、ＧＰＳ（Global Positioning System）により現在位置を検出する。
【００３８】
図６は携帯端末１２の回路構成を示すブロック図である。
【００３９】
携帯端末１２は、ＣＰＵ３１、表示部３２、タッチパネル３３、第１の通信部３４ａ、第２の通信部３４ｂ、メモリ３５などを備える。
【００４０】
ＣＰＵ３１は、メモリ３５に記憶されたプログラム３５ａの起動により、携帯端末１２の動作を制御する。本実施形態において、このＣＰＵ３１には、リスト端末１１の情報表示に関わる各種設定を行う設定機能３１ａ、リスト端末サーバ１５に定期的にアクセスしてコンテンツ情報を収集する情報収集機能３１ｂ、コンテンツ情報をリスト端末１１に転送する情報転送機能３１ｃなどが設けられている。
【００４１】
表示部３２とタッチパネル３３は、リスト端末１１の表示部２２とタッチパネル２３と同様に一体型の入力表示装置を構成し、ユーザが画面の表示を見ながら、タッチ操作による入力指示を行うことができる。
【００４２】
第１の通信部３４ａは、Ｂｌｕｅｔｏｏｔｈ（登録商標）等の近距離通信機能により、外部端末（リスト端末１１）との間で無線通信によるデータの送受信処理を行う。第２の通信部３４ｂは、無線ＬＡＮ（Wi-Fi）や３Ｇの携帯電話回線網等により、ネットワーク１３上のコンテンツサーバ１４ａ，１４ｂ…やリスト端末サーバ１５にアクセスする。
【００４３】
メモリ３５には、ＣＰＵ３１を制御するためのプログラム３５ａの他、ＣＰＵ３１の処理動作に必要な各種データが記憶される。プログラム３５ａは、上述した各機能３１ａ，３１ｂ，３１ｃを実現するためのプログラムを含む。
【００４４】
なお、携帯端末１２は、実際にはリスト端末１１と同様に加速度センサやＧＰＳ機能などを備えているが、本発明とは直接関係しないため、その説明を省略する。
【００４５】
また、コンテンツサーバ１４ａ，１４ｂ…やリスト端末サーバ１５については、ＣＰＵ、ＲＯＭ、ＲＡＭなどを備えた汎用のコンピュータからなり、その詳しい構成については図示を省略する。
【００４６】
次に、本実施形態におけるネットワークシステムの動作について、（ａ）リスト端末サーバ１５、（ｂ）携帯端末１２、（ｃ）リスト端末１１、（ｄ）リスト端末１１と携帯端末１２による物品管理の各動作に分けて説明する。
【００４７】
（ａ）リスト端末サーバ１５の動作
図７はリスト端末サーバ１５の動作を示すフローチャートである。なお、このフローチャートで示される処理は、リスト端末サーバ１５に備えられた図示せぬＣＰＵが所定のプログラムを読み込むことにより実行される。
【００４８】
リスト端末サーバ１５は、ネットワーク１３上に存在する各種コンテンツサーバ１４ａ，１４ｂからの配信情報を受信し（ステップＡ１１）、これらの配信情報をリスト端末用に加工する（ステップＡ１２）。リスト端末サーバ１５は、図８に示すリスト端末用メモリ４１に加工後の配信情報を蓄積する（ステップＡ１３）。
【００４９】
リスト端末用メモリ４１はリスト端末毎に設けられている。このリスト端末用メモリ４１には、ユーザ情報４１ａとして、ユーザが持つリスト端末１１に固有のＩＤ情報（識別情報）、ユーザが選択した配信コンテンツ種類、その他の各種設定情報が記録されている。また、配信情報４１ｂとして、各種コンテンツサーバ１４ａ，１４ｂから受信してリスト端末用に加工した配信情報が記憶されている。「リスト端末用に加工」とは、腕時計サイズであるリスト端末１１の画面に合わせてコンテンツ情報を編集するなどの処理を施すことである。
【００５０】
リスト端末サーバ１５は、このリスト端末用メモリ４１を参照して、各種コンテンツ情報をユーザ別に選択的に受信し、それぞれに加工処理してリスト端末用メモリ４１に蓄積する。
【００５１】
（ｂ）携帯端末１２の動作
図９は携帯端末１２のリスト配信アプリに関する動作を示すフローチャートである。なお、このフローチャートで示される処理は、携帯端末１２に備えられたＣＰＵ３１がメモリ３５に記憶されたプログラム３５ａを読み込むことにより実行される。
【００５２】
まず、ユーザが携帯端末１２の画面上に設けられた図示せぬ設定アイコンをタップして「リスト端末設定」の機能を起動する。「リスト端末設定」の機能が起動されると（ステップＢ１１のＹｅｓ）、携帯端末１２（詳しくはＣＰＵ３１）は、第１の通信部２４ａを通じてリスト端末１１にアクセスし、リスト端末１１で現在収集されている物品の情報を要求する（ステップＢ１２）。
【００５３】
図１で説明したように、ユーザの持ち物である物品１６ａ〜１６ｄにはＩＣタグ１７ａ〜１７ｄが付けられており、そのＩＣタグ１７ａ〜１７ｄから物品の情報（ＩＤ情報）をリスト端末１１で読み取ることができる。
【００５４】
携帯端末１２は、これらの物品の情報をリスト端末１１から受信すると、図１０に示すような設定画面５１の物品リスト５２に設定する（ステップＢ１３）。この設定画面５１には、物品の分類名を設定するための分類名設定部５３が設けられている。ユーザは所定の操作により、物品リスト５２に対応した分類名を分類名設定部５３に入力する（ステップＢ１４）。
【００５５】
図１０の例では、「釣り竿」，「帽子」，「サングラス」いった３つの物品が物品リスト５２に設定されており、これらの物品に対する分類名として「釣り」が分類名設定部５３に入力された状態が示されている。
【００５６】
さらに、この設定画面５１には、リスト端末１１で表示する各種情報の優先順位を設定するための優先順位設定部５４が設けられており、ユーザの操作により、各種情報に対する優先順位が設定される（ステップＢ１５）。
【００５７】
図１０の例では、２回目に表示する情報として、「天気情報」が設定されている。ここで言う「２回目」とは、図４で説明したフリップ動作の２回目のことである。このフリップ動作の回数に対して、表示する情報を設定しておくことができる。
【００５８】
携帯端末１２は、設定画面５１で設定された物品の情報、分類名、表示情報の優先順位を当該リスト端末１１の設定情報としてメモリ３５に保持しておくと共に、リスト端末１１に送信してリスト端末１１のメモリ２５に記憶させる（ステップＢ１６）。
【００５９】
これにより、図１１に示すように、利用者が持つ物品とその物品の分類名との関係が物品管理テーブル５５に登録される。また、図１２に示すように、物品の分類名をユーザの行動とした場合に、ユーザの行動に応じた情報の優先順位が優先順位設定テーブル５６に登録される。なお、物品管理テーブル５５と優先順位設定テーブル５６は、リスト端末１１のメモリ２５に設けられている。
【００６０】
また、このときの設定情報はリスト端末サーバ１５にも送信され、リスト端末サーバ１５のリスト端末用メモリ４１に登録される（ステップＢ１７）。
【００６１】
一方、予め設定された巡回時間になると（ステップＢ１８のＹｅｓ）、携帯端末１２は、ネットワーク１３を介してリスト端末サーバ１５にアクセスして、リスト端末用メモリ４１に蓄積されているコンテンツ情報を受信する（ステップＢ１９）。このとき受信したコンテンツ情報は、メモリ３５の所定のエリアに記憶される。そして、リスト端末１１から配信要求があったときに（ステップＢ２０のＹｅｓ）、携帯端末１２は、上記メモリ３５の所定のエリアに記憶されたコンテンツ情報を読み出してリスト端末１１に転送する（ステップＢ２１）。携帯端末１２からリスト端末１１に転送されたコンテンツ情報は、リスト端末サーバ１５にて既にリスト端末用に加工済みである。
【００６２】
リスト端末１１に転送されたコンテンツ情報は、ユーザが所定の動作を行うことで、予め設定された優先順位に従って表示される。所定の動作とは、手首を回す動作（フリップ動作）である。
【００６３】
（ｃ）リスト端末１１の動作
図１３はリスト端末１１の情報取得処理の動作を示すフローチャートである。なお、このフローチャートで示される処理は、リスト端末１１に備えられたＣＰＵ２１がメモリ２５に記憶されたプログラム２５ａを読み込むことにより実行される。また、後述する図１４で示される処理についても同様であり、ＣＰＵ２１がプログラム２５ａを読み込むことにより実行される。
【００６４】
リスト端末１１（詳しくはＣＰＵ２１）は、一定時間毎に携帯端末１２との接続状態を確認し（ステップＣ１１）、通信可能か否かを判断する（ステップＣ１２）。通信可能な場合、つまり、リスト端末１１と携帯端末１２とが近距離無線通信可能な状態にあれば（ステップＣ１２のＹｅｓ）、リスト端末１１は、携帯端末１２からコンテンツ情報を受信して、メモリ３５の所定のエリアに記憶しておく（ステップＣ１３）。このコンテンツ情報は、携帯端末１２がリスト端末サーバ１５から定期的に受信したものであり（図９のステップＢ１９参照）、リスト端末用に加工処理されている。
【００６５】
図１４はリスト端末１１の情報表示処理の動作を示すフローチャートである。
【００６６】
リスト端末１１（詳しくはＣＰＵ２１）は、ユーザの持ち物から現在の行動を判断するレ（ステップＤ１１）。詳しくは、リスト端末１１の近くにある物品１６ａ〜１６ｄの情報をＩＣタグ１７ａ〜１７ｄから読み取り、図１１に示した物品管理テーブル５５と照らし合わせることで物品の分類名を特定し、その分類名からユーザの行動を判断する。
【００６７】
例えば、ユーザが「通勤かばん」を持っている場合には、そのときの行動は「仕事」と判断できる。また、ユーザが「釣り竿」，「帽子」，「釣り竿」を持っている場合には、そのときの行動は「釣り」と判断できる。なお、このようなユーザの持ち物に加えて、ＧＰＳ部２８の位置データを用いれば、ユーザの現在の行動より正確に判断することができる。
【００６８】
また、リスト端末１１は、センサ部２６に備えられた動き検出センサの出力データを解析し、その解析結果に基づいてユーザがどのような動きをしているのかを判断する（ステップＤ１２）。
【００６９】
ここで、ユーザが手首を回している場合（ステップＤ１３のＹｅｓ）、リスト端末１１は、図４に示したフリップ動作をしているものと判断し、基準画面である時計画面から情報表示に切り替える。
【００７０】
詳しくは、リスト端末１１は、図１２に示した優先順位設定テーブル５６を参照し、ユーザの行動と手首を回した回数に基づいてメモリ２５の所定のエリアから各種情報を選択的に読み出し、これを表示部２２の画面に表示する（ステップＤ１４）。これにより、例えばユーザが「釣り」をしているときに、腕を顔の位置まで上げてフリップ動作を１回した場合には「今どこ（地図サービス）」に関する情報が表示され、フリップ動作を２回した場合には「天気情報」が表示されることになる。
【００７１】
また、ユーザが腕を下げた動作を行った場合（ステップＤ１５のＹｅｓ）、リスト端末１１は、情報表示から基準画面である時計画面に戻す（ステップＤ１６）。
【００７２】
（ｄ）リスト端末１１と携帯端末１２による物品管理の動作
図１５はリスト端末１１の物品管理の動作（ＩＣタグ処理）を示すフローチャートである。なお、このフローチャートで示される処理は、リスト端末１１に備えられたＣＰＵ２１がメモリ２５に記憶されたプログラム２５ａを読み込むことにより実行される。
【００７３】
リスト端末１１（詳しくはＣＰＵ２１）は、定期的にリスト端末１１の近くに存在する物品の情報をＩＣタグから読み取っている（ステップＥ１１）。
【００７４】
例えば、図１に示した物品１６ｂ，１６ｃ，１６ｄがユーザの近くに存在していた場合に、これらの物品１６ｂ，１６ｃ，１６ｄの情報をＩＣタグ１７ｂ，１７ｃ，１７ｄから読み取ることができる。
【００７５】
ここで、リスト端末１１は、メモリ２５に設けられた図１１の物品管理テーブル５５を参照して、現在の持ち物に関する物品リストがあるか否かを判断する（ステップＥ１３）。該当する物品リストがなければ（ステップＥ１３のＮｏ）、リスト端末１１は、上記ステップＥ１２で読み取った物品の情報に基づいて物品リストを生成する（ステップＥ１４）。
【００７６】
例えば、図１に示した物品１６ｂ，１６ｃ，１６ｄの情報をＩＣタグ１７ｂ，１７ｃ，１７ｄから読み取った場合には、「サングラス」，「帽子」，「釣り竿」といった３つの物品を有する物品リストが生成されることになる。このとき生成された物品リストは、図１１の物品管理テーブル５５に記憶される。
【００７７】
図９のステップＢ１１〜Ｂ１７で説明したように、携帯端末１２から要求があったときに、この物品リストに登録された物品情報が携帯端末１２に送られ、当該物品情報に設定された分類名が返信される。上記の例では、「サングラス」，「帽子」，「釣り竿」に対して「釣り」といった分類名が返信されることになる。リスト端末１１は、携帯端末１２から送られて来た分類名を当該物品リストと関連付けて図１１の物品管理テーブル５５に登録する（ステップＥ１５）。
【００７８】
また、新たに追加する物品の情報がＩＣタグから検出された場合には（ステップＥ１６のＹｅｓ）、リスト端末１１は、その物品の情報を物品管理テーブル５５の中の該当する物品リストに追加する（ステップＥ１７）。
【００７９】
例えば、「クーラーボックス」の情報が新たに検出されとすると、この「クーラーボックス」の情報が「サングラス」，「帽子」，「釣り竿」と同じ分類に属する物品として、「釣り」の物品リストに追加登録されることになる。
【００８０】
さらに、当該物品リストに登録されていた各物品の中でＩＣタグの情報を読み取れない物品（通信不可の物品）があった場合には（ステップＥ１８のＹｅｓ）、リスト端末１１は、ユーザがどこかで紛失したものと判断し、例えば時計部２７に組み込まれているアラームを鳴らして、紛失した物品があることをユーザに報知する（ステップＥ１９）。なお、報知方法はアラームに限らず、例えば紛失していることを表示部２２にメッセージ表示することでも良い。
【００８１】
また、紛失した物品があることを検出した場合に、リスト端末１１は、現在の位置（つまり、物品のＩＣタグの情報を読み取れなくなったときの位置）をＧＰＳ部２８から取得し、その位置を当該物品の紛失位置としてメモリ２５の所定のエリアに記録しておく（ステップＥ２０）。このとき記録された紛失位置は、後述するように携帯端末１２によって地図上で確認することができる。
【００８２】
図１６は携帯端末１２の物品管理の動作（紛失物確認処理）を示すフローチャートである。なお、このフローチャートで示される処理は、携帯端末１２に備えられたＣＰＵ３１がメモリ３５に記憶されたプログラム３５ａを読み込むことにより実行される。
【００８３】
ユーザは、例えば携帯端末１２の画面上で図示せぬ「紛失物確認」のアイコンをタップするなどして、紛失物の確認要求を行う。携帯端末１２（詳しくはＣＰＵ３１）は、紛失物の確認要求を受けると（ステップＦ１１のＹｅｓ）、第１の通信部２４ａを通じてリスト端末１１にアクセスし、上記メモリ２５の所定のエリアに記録された紛失物の位置データを受信する（ステップＦ１２）。
【００８４】
リスト端末１１は、この紛失物の位置データに基づいて地図アプリを起動し、当該位置データに対応した地図を表示すると共に、その地図上に紛失位置を示すマークを表示する（ステップＦ１３）。
【００８５】
図１７に具体例を示す。  
図中の６１は紛失物の位置データに対応した地図である。なお、各地域の地図データは携帯端末１２に予め登録されていても良いし、ネット上の任意のサーバから取得することでも良い。この地図６１の中に紛失位置を示すマーク６１が表示される。なお、このマーク６１に近くに、紛失物の名前（物品名）６３を表示することでも良い。
【００８６】
例えば、ユーザが「サングラス」，「帽子」，「釣り竿」を持って釣りに出かけ、帰りに「帽子」を忘れてきたとする。
【００８７】
このような場合に、まず、ユーザが出かけるときに、「サングラス」，「帽子」，「釣り竿」の各物品の情報がＩＣタグから読み取られて、「釣り」の物品リストに登録される。そして、ユーザが帰るときに「帽子」を忘れると、物品リストの中の「帽子」のＩＣタグと通信不可になる。これにより、「帽子」が紛失物品として判断され、そのときの位置がリスト端末１１に記録されることになる。
【００８８】
ここで、携帯端末１２を操作すると、リスト端末１１から「帽子」を紛失した位置が送られて来て、地図６１上に紛失位置を示すマーク６１が表示される。なお、このマーク６１が表示されている位置は、正確には「帽子」を紛失した位置ではなく、「帽子」に付けられたタグと通信不可となった位置である。したがって、実際の紛失位置とは多少の誤差があるが、タグの情報は短い時間間隔で定期的に読み取られているので（図１５のステップＥ１１参照）、マーク６１の表示位置を目安にして探すことができる。
【００８９】
以上のように本実施形態によれば、各物品に付けられたＩＣタグの情報を読み取り、ユーザの行動と関連付けて管理しておくことで、そのときのユーザの行動を身近な物品から判断でき、そのときの行動に応じた情報を適宜表示することができる。
【００９０】
この場合、予め情報の優先順位を設定しておけば、その優先順位に従って各種情報を見ることができる。
【００９１】
また、物品リストで管理された各物品の中でＩＣタグの情報を読み取れなかった物品があった場合にアラーム等の報知することにより、ユーザが所持していた物品を無くしたときに直ぐに気づくことができる。
【００９２】
さらに、ＩＣタグの情報を読み取れなかったときの位置を当該物品の紛失位置として記録しておくことにより、地図上に紛失位置を表示して確認することができる。
【００９３】
また、リスト端末１１はユーザの手首に装着可能な腕時計の形状を有し、かばん等に入れた携帯端末１２から近距離無線通信により各種情報を取得する。ユーザはこのリスト端末１１を手首に装着した状態で、手首を回すといった動作を行うだけで、これらの情報を選択的に見ることができる。なお、表示情報を切り替えるためのユーザの動作は、手首を回すことに限らず、例えば、腕を振る動作や、腕に振動を与える動作等としても良い。
【００９４】
なお、上記実施形態では、リスト端末１１と携帯端末１２の２つの端末装置を用いて、互いに通信しながら本発明に関わる処理を実行するものとしたが、どらちか一方の端末装置だけで本発明を実現することも可能である。
【００９５】
要するに、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９６】
さらに、上述した実施形態において記載した手法は、コンピュータに実行させることのできるプログラムとして、例えば磁気ディスク（フレシキブルディスク、ハードディスク等）、光ディスク（ＣＤ−ＲＯＭ、ＤＶＤ等）、半導体メモリなどの記録媒体に書き込んで各種装置に適用したり、通信媒体により伝送して各種装置に適用することも可能である。本装置を実現するコンピュータは、記録媒体に記録されたプログラムを読み込み、このプログラムによって動作が制御されることにより、上述した処理を実行する。
【００９７】
以下に、本願出願の当初の特許請求の範囲に記載された発明を付記する。  
［１］
複数の異なる物品のそれぞれに付けられたＩＣタグの情報を読み取るＩＣタグ読取り手段と、
上記ＩＣタグ読取り手段によって読み取られたＩＣタグの情報に基づいてユーザの行動を判断する行動判断手段と、
各種情報を取得する情報取得手段と、
上記情報取得手段によって得られた各種情報を上記行動判断手段によって判断されたユーザの行動に応じて選択的に表示する表示制御手段と
を具備したことを特徴とする情報表示装置。
【００９８】
［２］
ユーザの行動毎に情報の優先順位を設定する優先順位設定手段を備え、
上記表示制御手段は、
上記優先順位設定手段によって設定された優先順位に従って上記各種情報を選択的に表示することを特徴とする［１］記載の情報表示装置。
【００９９】
［３］
上記ＩＣタグ読み取り手段によって読み取られたＩＣタグの情報に基づいて上記各物品の情報を記憶する物品情報記憶手段と、
上記ＩＣタグ読み取り手段を定期的に動作させ、上記物品情報記憶手段に記憶された上記各物品の中で上記ＩＣタグの情報を読み取れない物品を紛失物品として判断し、その旨を報知する報知手段と
をさらに具備したことを特徴とする［１］記載の情報表示装置。
【０１００】
［４］
上記ＩＣタグの情報を読み取れなかったときの位置を紛失位置として記録する紛失位置記録手段を備え、
上記表示制御手段は、
上記紛失位置記録手段によって記録された紛失位置を地図上に表示することを特徴とする［３］記載の情報表示装置。
【０１０１】
［５］
ユーザの手首に装着可能な腕時計の形状を有する装置本体を備え、
上記情報取得手段は、
上記装置本体の近くに存在する別の端末装置から近距離無線通信により各種情報を取得することを特徴とする［１］記載の情報表示装置。
【０１０２】
［６］
複数の異なる物品のそれぞれに付けられたＩＣタグの情報を読み取り、
上記読み取られたＩＣタグの情報に基づいてユーザの行動を判断し、
各種情報を取得し、
上記取得した各種情報を上記判断されたユーザの行動に応じて選択的に表示する、
ことを特徴とする情報表示方法。
【０１０３】
［７］
コンピュータによって実行されるプログラムであって、
上記コンピュータに、
複数の異なる物品のそれぞれに付けられたＩＣタグの情報を読み取るＩＣタグ読取り機能と、
上記ＩＣタグ読取り機能によって読み取られたＩＣタグの情報に基づいてユーザの行動を判断する行動判断機能と、
各種情報を取得する情報取得機能と、
上記情報取得機能によって得られた各種情報を上記行動判断機能によって判断されたユーザの行動に応じて選択的に表示する表示制御機能と
を実現させることを特徴とするプログラム。
【符号の説明】
【０１０４】
１１…リスト端末、１１ａ…装置本体、１１ｂ…バンド、１２…携帯端末、１３…ネットワーク、１４ａ，１４ｂ…コンテンツサーバ、１５…リスト端末サーバ、１６ａ〜１６ｄ…物品、１７ａ〜１７ｄ…ＩＣタグ、２１…ＣＰＵ、２１ａ…行動判断機能、２１ｂ…情報取得機能、２１ｃ…表示制御機能、２１ｄ…物品情報記憶機能、２１ｅ…報知機能、２１ｆ…紛失位置記録機能、２２…表示部、２３…タッチパネル、２４ａ…第１の通信部、２４ｂ…第２の通信部、２５…メモリ、２５ａ…プログラム、２６…センサ部、２７…時計部、２８…ＧＰＳ部、３１…ＣＰＵ、３１ａ…設定機能、３１ｂ…情報収集機能、３１ｃ…情報転送機能、３２…表示部、３３…タッチパネル、３４ａ…第１の通信部、３４ｂ…第２の通信部、３５…メモリ、３５ａ…プログラム、３６…ＧＰＳ部、４１…リスト端末用メモリ、４１ａ…ユーザ情報、４１ｂ…配信情報、５１…設定画面、５２…物品リスト、５３…分類名設定部、５４…優先順位設定部、５５…物品管理テーブル、５６…優先順位設定テーブル、６１…地図、６２…紛失位置を示すマーク、６３…紛失物の名前（物品名）。
【図１】
2014120103.tif 000003
【図２】
2014120103.tif 000004
【図３】
2014120103.tif 000005
【図４】
2014120103.tif 000006
【図５】
2014120103.tif 000007
【図６】
2014120103.tif 000008
【図７】
2014120103.tif 000009
【図８】
2014120103.tif 000010
【図９】
2014120103.tif 000011
【図１０】
2014120103.tif 000012
【図１１】
2014120103.tif 000013
【図１２】
2014120103.tif 000014
【図１３】
2014120103.tif 000015
【図１４】
2014120103.tif 000016
【図１５】
2014120103.tif 000017
【図１６】
2014120103.tif 000018
【図１７】
2014120103.tif 000019